(57)【要約】  本発明は室内で着用して、歩く時衝撃力を吸収して層間騷音を減少させることができるクッションスリッパに関する。上部に足甲カバー（１２）を有する底部（１０）の辺縁には外皮（１４）が固定され、上記外皮（１４）の先端には弾性バンド（１６）が形成され、上記外皮（１４）の内側にはクッション部材（２０）が挿入されることを特徴とするクッションスリッパを提供する。従って、チャックが備えられていないので、見掛けが良く、クッション部材とスリッパとの分離及び結合が便利で且つ簡便であり、また、外皮が本体に固定されることによって、使用の時、辺縁が分離されることなく、従って、スリッパをクッション部材と分離して洗濯することが非常に便利になる。
2013504368.tif 000002
【特許請求の範囲】
【請求項１】
上部に足甲カバーを有する底部の辺縁には外皮が固定され、上記外皮の先端には弾性バンドが形成され、上記外皮の内側にはクッション部材が挿入されることを特徴とするクッションスリッパ。
【請求項２】
上記クッション部材の底面には底板が分離可能に付着されることを特徴とする請求項１に記載のクッションスリッパ。
【請求項３】
上記底部の底面とクッション部材の上部面はベルクロファスナーによって着脱可能であることを特徴とする請求項１に記載のクッションスリッパ。
【請求項４】
上記クッション部材は発泡材であるクッション材と、上記クッション材の外側を囲むクッション外皮とで構成され、上記クッション材は踵にあたる部分に硬質樹脂が形成されることを特徴とする請求項１〜請求項３に記載のクッションスリッパ。
【請求項５】
上記外皮の内側にはクッション部材及び底板が挿入されることを特徴とする請求項１に記載のクッションスリッパ。
【請求項６】
上記クッション材の踵に対応する部分には空気袋が挿入されることを特徴とする請求項１に記載のクッションスリッパ。
【発明の詳細な説明】
【技術分野】
【０００１】
本発明は部屋の中の居間などで着用するクッションスリッパに関し、さらに詳しくは、クッション機能を有することによって、室内で歩く時、衝撃を吸収して層間騷音を最小化することができるクッションスリッパに関する。
【背景技術】
【０００２】
一般的に、スリッパは軽い合成樹脂材や繊維などで製作される。これは単純に上履きの機能のみを行い、歩く時、下の階に騷音が伝達されるなどの問題点があった。
【０００３】
そこで、近年には、底面にクッション機能を追加して、歩く時発生する騷音が下の階に伝達されることを最小化し、運動効果を有するクッション機能を有するスリッパも提案されている。
【０００４】
しかし、このようなスリッパは、クッション材が充填された底板の上側にスリッパ本体をベルクロファスナーで着脱可能に構成され、上記底板の側面または上部面に、内部に投入されたクッション部材が洗濯などのために分離することができるようにチャックが備えられている。しかし、チャックが側面に備えられる場合には、見掛けを損なうとともに、チャックの取っ手によって歩く時騷音が発生されるなどの問題点があり、また、チャックが底板の上部面に備えられる場合には、製造が難しいとともに、クッション部材を分離したり挿入することが非常に難しく、且つコストが上昇されるなどの各種問題点があった。
【０００５】
また、スリッパ本体とクッション材が充填された底板がベルクロファスナーによって着脱可能になることで、歩く時辺縁部分が分離されるなどの問題点も発生した。
【発明の概要】
【発明が解決しようとする課題】
【０００６】
本発明は上記のような問題点を解決するために発明されたもので、本発明の目的は、構造が簡単であるとともに、見掛けがよく、また、使用の時、辺縁部分が分離されないクッションスリッパを提供することにある。
【０００７】
本発明の他の目的は、本体及びクッション部材の分離及び結合が容易で、洗濯が便利なクッションスリッパを提供することにある。
【課題を解決するための手段】
【０００８】
上記したような目的を達するための本発明によるクッションスリッパは、上部に足甲カバーを有する底部の辺縁には外皮が固定され、上記外皮の先辺縁には弾性バンドが形成され、上記外皮の内側にはクッション部材が挿入されることを特徴とする。
【発明の効果】
【０００９】
本発明によれば、チャックが備えられていないので、スリッパの見掛けがよく、且つクッション部材とスリッパの底部の分離及び結合が便利であるとともに簡便であり、外皮が本体に固定されることによって、歩く時、辺縁が分離されることがなく、従って、スリッパをクッション部材と分離して洗濯することが非常に便利になる。
【図面の簡単な説明】
【００１０】
【図１】本発明の第１実施形態によるクッションスリッパを示した断面図である。
【図２】本発明の第２実施形態によるクッションスリッパを示した断面図である。
【図３】本発明の第３実施形態によるクッションスリッパを示した断面図である。
【図４】本発明によるクッションスリッパでクッション材を示した断面図である。
【発明を実施するための形態】
【００１１】
以下、本発明の好ましい実施形態を添付された図面を参照してさらに詳しく説明する。
【００１２】
図１は本発明の第１実施形態によるクッションスリッパを示した概略的な断面図で、本体底部１０には足甲カバー１２が形成されている。
【００１３】
また、上記底部１０の辺縁には外皮１４が固定され、上記外皮１４の先端には所定高さに開口部１４ａが形成され、上記開口部１４ａには弾性力を有する弾性バンド１６が備えられている。
【００１４】
上記外皮１４は外部表面に多様な柄や色相、模様を形成して見掛けを綺麗にする。
【００１５】
また、上記外皮１４は材質が繊維である場合には、底部１０の辺縁に裁縫や接着剤で固定する。
【００１６】
上記底部１０の下側にはクッション部材２０が位置される。上記クッション部材２０はスポンジなどの発泡樹脂で形成されたクッション材２２と、上記クッション材２２を包むクッション外皮２４とで構成される。
【００１７】
上記クッション外皮２４はベルクロファスナーと着脱可能に不織布で形成されることが好ましい。
【００１８】
上記底部１０の底面とクッション部材２０の上側はベルクロファスナーを利用して着脱可能に構成することもできる。
【００１９】
このように構成された本実施形態では、底部１０の辺縁に一体に固定された外皮１４がクッション部材２０を囲み、下部で弾性バンド１６によって固定された状態を保持することによって、室内で歩く時、層隔力がクッション部材２０に吸収されて層間騷音が伝達されることを最小化し、底部１０と外皮１４とが裁縫などで固定された状態を保持することによって、歩行の時にも上記底部１０と外皮１４とが分離されなくなる。
【００２０】
一方、図２は本発明の第２実施形態によるクッションスリッパを示した図面で、底部１０、外皮及びクッション部材２０の構成は第１実施形態と同じである。ただ、クッション部材２０の底面に底板３０が着脱可能な構成である点で第１実施形態と異なる。
【００２１】
上記クッション部材２０と底板３０とは、ベルクロファスナー３２によって着脱可能に構成されることが最も好ましい。
【００２２】
また、上記底板３０は、レザー（革）などの人造皮や天然皮で形成する場合には、単純なクッションスリッパとして用いることができ、綿や極細糸で形成する場合には雑巾として用いることができる。
【００２３】
一方、図３は本発明の第３実施形態によるクッションスリッパを示した図面で、本実施形態では、底部１０に固定された外皮１４の内側にクッション部材２０及び底板３０を位置させて設置する。
【００２４】
本実施形態では、外皮１４の内側に位置されたクッション部材２０及び底板３０が弾性バンド１６によって弾性的に密着されて固定された状態を保持する。
【００２５】
この時、上記底部１０の底面とクッション部材２０の上部面及び上記クッション部材２０の底面と底板３０の上部面はベルクロファスナーによって着脱可能に構成することが好ましい。
【００２６】
一方、図４は本発明に適用されるクッション材２２を示した断面図で、弾性力を有する発泡体であるクッション材２２の一部、即ち足裏の踵に対応する部分に硬質樹脂２２ａを挿入して、使用の時、使用者の圧力によってクッション材２２が変形されることを防止する。
【００２７】
また上記クッション材２２の踵に対応する部分には空気袋を挿入して、歩行の時、使用者の圧力によってクッション材２２が変形されることを防止するとともに、層隔が効果的に吸収されるようにすることもできる。
【００２８】
上記のような本発明は上述した特定の実施形態に限定されず、特許請求の範囲で請求する本発明の要旨を逸脱することなく、当該発明が属する分野において通常の知識を有する者であれば誰でも多様な変更実施が可能である。
【産業上の利用可能性】
【００２９】
本発明は室内で利用するスリッパの他に、室外で利用する靴にも適用することが可能である。
【図１】
2013504368.tif 000003
【図２】
2013504368.tif 000004
【図３】
2013504368.tif 000005
【図４】
2013504368.tif 000006
【国際調査報告】
2013504368.tif 000007
2013504368.tif 000008
2013504368.tif 000009
2013504368.tif 000010